(57)【要約】【課題】取り扱いが容易となる電子安定器をそなえた投光機を提供することを目的とする。【解決手段】投光機１は、基台５と、前記基台５に基端が接続された伸縮自在のマスト４と、前記マスト４の先端に設けられた照明装置２と、前記照明装置２に電力を安定化して供給する電子安定器３とを備える。前記照明装置２は、ランプ21と、前記ランプ21を保持する保持具20とを有し、前記保持具20に前記電子安定器３を設置したことを特徴とする。【選択図】図１
2009081011.tif 000002
【特許請求の範囲】
【請求項１】
基台と、
前記基台に基端が支持された伸縮自在のマストと、
前記マストの先端に設けられた照明装置と、
前記照明装置に電力を安定化して供給する電子安定器と
を備えている投光機において、
前記照明装置は、
ランプと、
前記ランプを保持する保持具と、
バルーンと、
前記バルーン内に空気を供給するブロアと、
前記バルーンの内部と外部とを連通する通気穴とを有し、
前記保持具は、
前記バルーンの中央において前記バルーンを保持すると共に、
前記ランプを保持するソケット部と、
前記ブロアを保持するブロア保持部と、
前記電子安定器を設置する安定器設置部と
を有することを特徴とする投光機。
【請求項２】
前記安定器設置部は、前記ブロアによって前記バルーンの外部から前記通気穴を通って供給される空気の流通経路上に前記電子安定器を保持する
ことを特徴とする請求項１記載の投光機。
【請求項３】
前記安定器設置部は、前記通気穴と前記電子安定器とを連通する連通口を有することを特徴とする請求項１又は２記載の投光機。
【発明の詳細な説明】
【技術分野】
【０００１】
本発明は、投光機に関し、特に電子安定器を備える投光機に関するものである。
【背景技術】
【０００２】
従来、この種の投光機として、基台としての台車、前記台車に搭載された発電機と伸縮自在に立設されたマスト、前記マストに支持された照明装置としてのバルーン光源、及び、前記バルーン光源を点灯させる電子安定器を備えたものが開示されている（例えば、特許文献１）。
【０００３】
ここで、電子安定器とは、鉄芯に銅線を巻いたチョークコイルを備える銅鉄安定器を、インバータやサイリスタ制御回路を用いて電子化したものである。
【０００４】
このように構成された電子安定器は、バルーン光源に供給する動作に伴い、制御回路の電子部品が発熱する。従って、電子安定器は、電子部品の発熱による温度上昇を防ぐために、冷却用のファン及び放熱ブロックなどの放熱手段を備える必要があった。これにより、電子安定器は、全体としても大重量、大容積となり、大型化せざるを得なかった。例えば、４００Ｗの電子安定器の場合、重量は４〜５ｋｇ程であった。
【０００５】
このような大型の電子安定器は、地上に比較的近い台車に設置することにより、投光機としての操作上の安全性及び安定性を確保していた。
【特許文献１】特開２００５−３２２５８７号公報
【発明の開示】
【発明が解決しようとする課題】
【０００６】
しかしながら、上記特許文献１では、電子安定器は、重量が重く、容積が大きいため、取り扱い及び運搬が困難となる場合があった。また、電子安定器が、台車や場合によっては床上に直に設置される場合もあり、邪魔で、見た目も悪いという問題があった。さらに、従来の投光機では、電子安定器を地上に比較的近い台車に設置していたので、電子安定器とバルーン光源までの距離が長くなり、そうすると、両者を電気的に接続するケーブルも長くする必要があると共に、電圧降下が大きくなることでバルーン光源が不点灯となるという懸念があった。
【０００７】
そこで、本発明は上記した問題点に鑑み、取り扱いが容易となる電子安定器を備えた投光機を提供することを目的とする。
【課題を解決するための手段】
【０００８】
上記目的を達成するために、請求項１に係る発明は、基台と、前記基台に基端が接続された伸縮自在のマストと、前記マストの先端に設けられた照明装置と、前記照明装置に電力を安定化して供給する電子安定器とを備えている投光機において、前記照明装置は、ランプと、前記ランプを支持する保持具と、バルーンと、前記バルーン内に空気を供給するブロアと、前記バルーンの内部と外部とを連通する通気穴とを有し、前記保持具は、前記バルーンの中心において前記バルーンを保持すると共に、前記ランプを保持するソケット部と、前記ブロアを保持するブロア保持部と、前記電子安定器を設置する安定器設置部とを有することを特徴とする。
【０００９】
また、請求項２に係る発明は、前記安定器設置部は、前記ブロアによって前記バルーンの外部から前記通気穴を通って供給される空気の流通経路上に前記電子安定器を保持することを特徴とする。
【００１０】
また、請求項３に係る発明は、前記安定器設置部は、前記通気穴と前記電子安定器とを連通する連通口を有することを特徴とする。
【発明の効果】
【００１１】
本発明の請求項１記載の投光機によれば、外部に電子安定器が現れず、搬送が容易であると共に、外観上の美観も向上することができる。
【００１２】
また、請求項２に記載の投光機によれば、ブロアによってバルーン内に送り込まれる空気で電子安定器を冷却することができる。
【００１３】
また、請求項３に記載の投光機によれば、通気穴から供給された外部の空気を直接、電子安定器に送り込むことができるので、効率的に電子安定器を冷却することができる。
【発明を実施するための最良の形態】
【００１４】
以下図面を参照して、本発明の好適な実施形態について説明する。図１に示す投光機１は、照明装置２、電子安定器３、伸縮自在のマスト４、及び基台としての三脚５を備える。この投光機１は、適当な場所に移動した上で、三脚５を据え付けて、マスト４で所定高さに保持した照明装置２に、電源装置（図示しない）から電子安定器３を介して電力を供給して、周囲に光を供給し得るように構成されている。
【００１５】
マスト４は、垂直に立設された複数（本図では２本）の金属製の管柱を有する。管柱は、基端側に配置された第１の管柱７と、前記第１の管柱７より外径を小さくした第２の管柱８を前記第１の管柱７に内挿して形成されている。第１の管柱７には固定部９が設けられており、第２の管柱８を所定高さで固定し得るように構成されている。第２の管柱８の先端には、照明装置２が接続されている。
【００１６】
三脚５は、金属製の３本の脚体11,11,11と、前記３本の脚体11,11,11の一端を同時に前記マスト４に沿ってマスト４の長さ方向に移動可能に接続する第１の環体12と、脚体11,11,11の中間部分に連結され前記マスト４に沿ってマスト４の長さ方向に移動可能に接続する第２の環体13とを備える。第１の環体12は、マスト４に外挿され、脚体11,11,11の一端を軸支している。また、第２の環体13は、第１の環体12の下側においてマスト４に外挿され、脚体11,11,11の中間部分とリンク14を介して接続されている。これにより三脚５は、前記第１の環体12を回転中心として放射状に展開可能に設けられている。
【００１７】
また、第１の環体12及び第２の環体13は、固定手段により第１の管柱７に対し固定されることにより、脚体11,11,11を管柱に対し所望の角度で固定し得る。このようにして、三脚５は、前記マスト４を鉛直方向に保持する。また、脚体11,11,11の他端には、接地部15,15,15が設けられており、地面との摩擦力を増大させて安定して三脚を保持し得るように構成されている。尚、本図においては、脚体11,11,11は、複数の管柱を入れ子式に互いに挿入して伸縮自在に構成されている。
【００１８】
照明装置２は、図２に示すように、保持具20、ランプ21、バルーン22、前記バルーン22内に空気を供給するブロア23を有し、前記保持具20に前記電子安定器３が設置されている。この照明装置２には、バルーン22の内外を空気が流通する通気穴32が設けられている。
【００１９】
保持具20は、金属製の部材で形成されており、安定器設置部25、ブロア保持部26、ソケット部27、及び複数の支柱（本実施形態では４本）28を備える。この保持具20は、下から、安定器設置部25、ブロア保持部26、ソケット部27を順に積層し、管状の前記支柱28で一体化してなる。このように構成された保持具20は、バルーン22の中央に設置され、前記バルーン22の対向する両端を保持している。
【００２０】
安定器設置部25は、第１端板30と、複数（本実施形態では４個）の第１軸体31とを備える。第１端板30は、金属製の板をプレス加工により有底筒状に形成してなり、底に複数の連通口32aが穿設されていると共に、図示しないがボルトが挿通する貫通穴が形成されている。連通口32aは、通気穴32に連通している。この安定器設置部25は、第１端板30の一側の中央に載置され、前記貫通穴に第１端板30の他側からボルトを挿通し、該ボルトを電子安定器３の足部3aに形成したタップ穴（図示しない）に螺合することにより、第１端板30に固定されている。
【００２１】
第１軸体31は、長さ方向の略中央を境として先端31a側の外径が基端31b側の外径に比べ大きく形成され、長さ方向の略中央に当接段34が設けられている。
【００２２】
ブロア保持部26は、金属製の板に、ブロア設置穴35及び第１軸挿通穴36とを穿設してなる。ブロア23は、図示しないモータを収容した突出部23aをブロア保持部26の一側からブロア設置穴35に挿入し、ブロア保持部26の他側から挿入したボルト37でブロア保持部26に固定している。
【００２３】
ソケット部27は、第２端板40と、複数（本実施形態では４個）の第２軸体41と、ソケット保持体42とを備える。第２端板40は、平坦な円板からなり、一側に前記第２軸体41及びソケット保持体42とが設けられている。ソケット保持体42は、第２端板40の中心に配置されている。第２軸体41は、前記ソケット保持体42の周囲に均等に配置されている。
【００２４】
第２軸体41は、円筒形状をなし、前記支柱28を外嵌し得る大きさに形成されている。また、第２軸体41は、基端において溶接により第２端板40に固定されている。ソケット保持体42は、コ字状の部材からなり、底の外側にソケット43がネジ止めされている。このソケット保持体42は、一対の端部42aにおいて溶接により第２端板40に固定されている。ソケット43には、前記ランプ21が螺合されている。
【００２５】
第２軸体41には、先端側から支柱28の一端がそれぞれ外嵌される。この支柱28は、半径方向から中心に向かってねじ込んだボルト37で第２軸体41に固定されている。支柱28には、他端から、貫通穴45aを有するランプ保持板45が挿入される。このランプ保持板45には、ランプ21先端を保持する保持穴46が予め形成されている。この保持穴46にランプ21先端を挿入することにより、ランプ21は、基端がソケット43で固定されると共に、先端がランプ保持板45で固定される。
【００２６】
さらに支柱28には、他端20bから、第１軸体31の先端31aが挿入され、支柱28の外側から中心に向かってねじ込んだボルト37で第１軸体31が固定されている。
【００２７】
ブロア保持部26は、第１軸挿通穴36を第１軸体31の基端31bから挿入して、ブロア保持部26の一側表面を前記当接段34に当接させている。また、第１軸体31は、基端31bにおいて安定器設置部25の第１端板30の一側に溶接され、第１端板30が固定されている。このブロア保持部26と、安定器設置部25との間には、間隔保持部材47が設けられている。
【００２８】
このようにして保持具20は、第１端板30と第２端板40との間に、第１端板30側から、安定器設置部25、ブロア保持部26、ソケット部27を順に積層し、支柱28によって一体化され、それぞれ、電子安定器３、ブロア23、ランプ21を保持している。さらに保持具20は、バルーン22の内側に配置され、バルーン22の一端22aを第２端板40の他側で第２固定板48と挟んでボルトで固定すると共に、バルーン22の他端22bを第１端板30の他側で第１固定板49と挟んでボルトで固定して、バルーン22を保持している。
【００２９】
電子安定器３は、図３に示すように、金属製のケース内に収容された図示しない回路基板と、２つのコネクタ51,52が設けられている。
【００３０】
因みに、この電子安定器３には、従来のように冷却ファンや放熱ブロックが設けられていないので、構成部品が小型化及び簡素化されており、全体として従来に比べ小型化されている。
【００３１】
また、２つのコネクタ51,52のうち、一方51は２ピンを有し、ランプ21用である。また他方のコネクタ52は３ピンを有し、電源用である。このように冷却ファンや放熱ブロックを不要とする構成としたことにより、電子安定器３は、全体重量が約０．７ｋｇとすることができた。
【００３２】
次に上記した本実施形態に係る投光機１の各部の作用及び効果について説明する。先ず、投光機１は、三脚５を閉じた状態で設置場所まで搬送される。ここで、投光機１は、電子安定器３を照明装置２に設置しているから、電子安定器３が搬送の邪魔にならないので、容易に搬送することができる。
【００３３】
また、投光機１は、設置場所において、三脚５を展開して自立し、マスト４を伸長させることにより、照明装置２を所定高さに保持する。ここで、投光機１は、電子安定器３を照明装置２に設置しているから、外部に電子安定器３が現れず、外観上の美観を向上することができる。
【００３４】
この状態で、投光機１は、図示しない起動スイッチをオンすることにより、図示しない電源装置から電子安定器３を介してブロア23及びランプ21に電源を供給する。これにより、ブロア23はバルーン22内に連通口32aを介して外部から空気を供給する。そうすると、バルーン22の外部から通気穴32を通ってブロア23へと至る空気の流通経路Ａが形成され、この空気によって、バルーン22を膨らませる。同時に、ランプ21は、点灯する。このようにして、投光機１は、所定高さに保持した照明装置２から、ランプ21の光をバルーン22を介してやさしい光として周囲に供給する。
【００３５】
因みに、従来の投光機では、電子安定器３を地上に比較的近い箇所に設置していたので、電子安定器３とバルーン光源までの距離が長かった。従って、従来の投光機は、両者を電気的に接続するケーブルも長くする必要があった。これにより、従来の投光機は、電圧降下が大きくなり、バルーン光源が不点灯となってしまう場合があった。
【００３６】
これに対し、本発明に係る投光機１は、照明装置２に電子安定器３を設置しているから、電子安定器３とランプ21の距離が短く、電子安定器３とランプ21とを電気的に接続するケーブルも短くなる。そうすると、投光機１では、電子安定器３とランプ21との間の抵抗を小さくすることができるので、従来に比べ、電圧降下を小さくすることができる。従って、投光機１では、ランプ21をより確実に点灯させることができる。
【００３７】
また、投光機１は、前記安定器設置部25が、前記ブロア23によって前記バルーン22の外部から前記通気穴32を通って送り込まれる空気の流通経路Ａ上に前記電子安定器３を保持している。これにより、投光機１では、ブロア23によってバルーン22内に供給される空気で電子安定器３を冷却することができる。従って、本実施形態に係る投光機１は、従来のように放熱フィンを備えた放熱ブロックや放熱ファンを電子安定器３が独自に備えていなくても、電子安定器３の温度上昇を抑制することができる。
【００３８】
さらに、前記安定器設置部25は、前記通気穴32と前記電子安定器３とを連通する連通口32aを有する。これにより、通気穴32から供給された外部の空気を直接電子安定器３に送り込むことができるので、効率的に電子安定器３を冷却することができる。
【００３９】
さらに本実施形態では、投光機１は、ランプ21と電子安定器３との間にブロア23を配置した。これにより、ランプ21からの輻射熱をブロア23が遮断する。従って、投光機１では、ランプ21からの輻射熱によって電子安定器３が加熱されるのを防ぐことができるので、電子安定器３の温度上昇を抑制することができる。また、ランプ21には、メタルハライドランプのような、発光効率の高いランプを使用することにより、輻射熱をさらに抑制することができる。
【００４０】
また、従来の投光機１では、電子安定器３の出力、すなわちランプ21への電力供給とブロア23への電力供給用としてそれぞれ２芯、合計４芯のケーブルを必要としていた。
【００４１】
これに対し、本発明に係る投光機１は、照明装置２に電子安定器３を設置しているから、２芯（アースを含めて３芯）のケーブルでも十分に電力を供給し得る。従って、投光機１では、使用するケーブルを小径化できると共に、軽量化を図れるので、より容易に取り扱うことができる。
【００４２】
本発明は、本実施形態に限定されるものではなく、本発明の要旨の範囲内で種々の変形実施が可能である。例えば、上記した実施形態では、基台が三脚５である場合について説明したが、本発明はこれに限らず、台車を備えた搬送装置としてもよい。
【００４３】
また、上記した実施形態では、安定器設置部25及びブロア保持部26をいずれもバルーン22内に設置した場合について説明したが、本発明はこれに限らず、安定器設置部25及びブロア保持部26の両方又は一方をバルーン22の外側のバルーン22に近接した位置に設置してもよい。
【図面の簡単な説明】
【００４４】
【図１】本発明に係る投光機の全体構成を示す斜視図である。
【図２】同上、照明装置の構成を示す縦断面図である。
【図３】同上、電子安定器の外観を示す図であり、（Ａ）正面図、（Ｂ）右側面図である。
【符号の説明】
【００４５】
１    投光機
２    照明装置
３    安定器
４    マスト
５    三脚（基台）
20    保持具
21    ランプ
22    バルーン
23    ブロア
25    安定器接地部
26    ブロア保持部
27    ソケット部
32a    連通口
Ａ    流通経路
【図１】
2009081011.tif 000003
【図２】
2009081011.tif 000004
【図３】
2009081011.tif 000005